【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
撮像手段と、
撮像時の手ブレの状態を取得する手ブレ状態取得手段と、
前記撮像手段によって撮像されている画像の記録指示を検出する記録指示検出手段と、
この記録指示手段によって記録が指示されると、前記撮像手段によって撮像されている画像と、前記手ブレ状態取得手段によって検出された手ブレの状態とを記憶する記憶手段と、
この記憶手段による記憶後に前記記録された画像と前記手ブレの状態とを表示する表示手段と、
を備えたことを特徴とするカメラ。
【請求項２】
前記手ブレ状態取得手段によって取得される手ブレの状態とは手ブレ量であり、
前記表示手段は、前記手ブレの状態として前記手ブレ量を表示することを特徴とする請求項１記載のカメラ。
【請求項３】
前記撮像手段によって撮像されている画像と前記手ブレ状態取得手段によって取得される手ブレ量とを対応付けて循環的に複数記憶する循環記憶手段を更に備え、
前記記憶手段は、前記循環記憶手段に記憶される複数の画像から手ブレ量が小さい画像とその画像が撮像されたときの手ブレ量とを記憶することを特徴とする請求項２記載のカメラ。
【請求項４】
撮像時の手ブレの状態を取得する手ブレ状態取得ステップと、
撮像部にて撮像されている画像の記録指示を検出する記録指示検出ステップと、
この記録指示ステップにて記録が指示されると、前記撮像部にて撮像されている画像と、前記手ブレ状態取得ステップにて検出された手ブレの状態とを記憶部に記憶させる記憶ステップと、
この記憶ステップによる記憶後に前記記録された画像と前記手ブレの状態とを表示部に表示させる表示ステップと、
を含むことを特徴とする撮像画像の記録・表示方法。
【請求項５】
撮像手段を具備する情報機器のコンピュータを、
撮像時の手ブレの状態を取得する手ブレ状態取得手段、
前記撮像手段によって撮像されている画像の記録指示を検出する記録指示検出手段、
この記録指示手段によって記録が指示されると、前記撮像手段によって撮像されている画像と、前記手ブレ状態取得手段によって検出された手ブレの状態とを記憶手段に記憶させる記憶制御手段、
この記憶制御手段による記憶後に前記記録された画像と前記手ブレの状態とを表示出力させる表示出力手段、
として機能させることを特徴とするプログラム。
【手続補正２】
【補正対象書類名】明細書
【補正対象項目名】発明の名称
【補正方法】変更
【補正の内容】
【発明の名称】カメラ、撮像画像の記録・表示方法、及びプログラム
【手続補正３】
【補正対象書類名】明細書
【補正対象項目名】０００１
【補正方法】変更
【補正の内容】
【０００１】
本発明は、手ブレの状態を検出するカメラ、そのようなカメラの撮像画像の記録・表示方法、及びプログラムに関する。
【手続補正４】
【補正対象書類名】明細書
【補正対象項目名】００１１
【補正方法】変更
【補正の内容】
【００１１】
本発明は、手ブレの少ない画像を記録できると共に、記録後の撮像画像の表示において、記録時における手ブレの状態を容易に判断することができるようにすることを目的とする。
【手続補正５】
【補正対象書類名】明細書
【補正対象項目名】００１２
【補正方法】変更
【補正の内容】
【００１２】
上記課題を解決するために、請求項１記載の発明は、撮像手段と、撮像時の手ブレの状態を取得する手ブレ状態取得手段と、前記撮像手段によって撮像されている画像の記録指示を検出する記録指示検出手段と、この記録指示手段によって記録が指示されると、前記撮像手段によって撮像されている画像と、前記手ブレ状態取得手段によって検出された手ブレの状態とを記憶する記憶手段と、この記憶手段による記憶後に前記記録された画像と前記手ブレの状態とを表示する表示手段と、を備えたことを特徴とする。
【手続補正６】
【補正対象書類名】明細書
【補正対象項目名】００１３
【補正方法】変更
【補正の内容】
【００１３】
また、請求項２記載の発明は、上記請求項１記載の発明において、前記手ブレ状態取得手段によって取得される手ブレの状態とは手ブレ量であり、前記表示手段は、前記手ブレの状態として前記手ブレ量を表示することを特徴とする。
【手続補正７】
【補正対象書類名】明細書
【補正対象項目名】００１４
【補正方法】変更
【補正の内容】
【００１４】
また、請求項３記載の発明は、上記請求項２記載の発明において、前記撮像手段によって撮像されている画像と前記手ブレ状態取得手段によって取得される手ブレ量とを対応付けて循環的に複数記憶する循環記憶手段を更に備え、前記記憶手段は、前記循環記憶手段に記憶される複数の画像から手ブレ量が小さい画像とその画像が撮像されたときの手ブレ量とを記憶することを特徴とする。
【手続補正８】
【補正対象書類名】明細書
【補正対象項目名】００１５
【補正方法】変更
【補正の内容】
【００１５】
また、上記課題を解決するために、請求項４記載の発明は、撮像時の手ブレの状態を取得する手ブレ状態取得ステップと、撮像部にて撮像されている画像の記録指示を検出する記録指示検出ステップと、この記録指示ステップにて記録が指示されると、前記撮像部にて撮像されている画像と、前記手ブレ状態取得ステップにて検出された手ブレの状態とを記憶部に記憶させる記憶ステップと、この記憶ステップによる記憶後に前記記録された画像と前記手ブレの状態とを表示部に表示させる表示ステップと、を含むことを特徴とする。
【手続補正９】
【補正対象書類名】明細書
【補正対象項目名】００１６
【補正方法】変更
【補正の内容】
【００１６】
また、上記課題を解決するために、請求項５記載の発明は、撮像手段を具備する情報機器のコンピュータを、撮像時の手ブレの状態を取得する手ブレ状態取得手段、前記撮像手段によって撮像されている画像の記録指示を検出する記録指示検出手段、この記録指示手段によって記録が指示されると、前記撮像手段によって撮像されている画像と、前記手ブレ状態取得手段によって検出された手ブレの状態とを記憶手段に記憶させる記憶制御手段、この記憶制御手段による記憶後に前記記録された画像と前記手ブレの状態とを表示出力させる表示出力手段、として機能させることを特徴とする。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】変更
【補正の内容】
【００４２】
本発明によれば、手ブレの少ない画像を記録できると共に、記録後の撮像画像の表示において、記録時における手ブレの状態を容易に判断することができる。